(57)【特許請求の範囲】
【請求項１】
穿刺側とは反対側の端部に穿刺器具への接続部、穿刺側の端部に穿刺針カバー部、その中間部に破断部を有するランセット本体と、
前記破断部における穿刺方向に沿って前記ランセット本体に埋め込まれており、前記穿刺針カバー部が取り外された状態で穿刺側へ突出して穿刺を行う穿刺針と、
前記ランセット本体の前記中間部の外周に装着された筒状のランセットケースと、
前記ランセットケースの外周面の一部に連結された状態で設けられた装着羽根と、
を備え、
前記装着羽根は、前記ランセット本体が前記穿刺器具に装着される時に前記穿刺器具における所定の位置へ係合され、前記ランセット本体が前記穿刺器具から排出される時に破損される、
穿刺針カートリッジ。
【請求項２】
前記装着羽根は、外周側に向けて突出させた細長形状を有しており、
その先端側は、を前記ランセットケースの前端側に向けて傾斜していると共に、筒状の前記ランセットケースの軸に交差する方向に回動自在に形成されている、
請求項１に記載の穿刺針カートリッジ。
【請求項３】
前記ランセットケースは、凹部を有しており、
前記装着羽根は、前記凹部内に設けられている、
請求項１または２に記載の穿刺針カートリッジ。
【請求項４】
前記装着羽根は、前記ランセット本体が前記穿刺器具から排出される時に、前記ランセットケースとの連結部分を中心にして前記ランセットケースの穿刺側とは反対側へと回動させられ、この回動により破損される、
請求項１から３のいずれか１つに記載の穿刺針カートリッジ。
【請求項５】
前記ランセットケースは、前記回動により破損した前記装着羽根を収納する凹状の収納部を有している、
請求項４に記載の穿刺針カートリッジ。
【請求項６】
前記収納部は、前記回動により破損した前記装着羽根を前記収納部内において保持する保持部を有している、
請求項５に記載の穿刺針カートリッジ。
【請求項７】
前記収納部は、前記回動により破損した前記装着羽根を当接させて前記収納部における位置決めを行う当接部を有している、
請求項６に記載の穿刺針カートリッジ。
【請求項８】
前記ランセットケースの穿刺側とは反対側へ回動させられた前記装着羽根の先端部は、前記ランセット本体が前記穿刺器具に再装着される時に、前記所定の位置よりも穿刺側の位置において前記穿刺器具に当接する、
請求項４から７のいずれか１つに記載の穿刺針カートリッジ。
【請求項９】
前記装着羽根は、その根元に再装着防止壁を有しており、
前記ランセット本体が前記穿刺器具に再装着される時に、前記再装着防止壁は前記所定の位置よりも穿刺側の位置において前記穿刺器具に当接する、
請求項１から８のいずれか１つに記載の穿刺針カートリッジ。
【請求項１０】
前記ランセットケースの穿刺側とは反対側へ回動させられた前記装着羽根は、前記ランセット本体が前記穿刺器具に再装着される時に、前記穿刺器具側の一部と当接して座屈変形する、
請求項８に記載の穿刺針カートリッジ。
【請求項１１】
前記装着羽根は、この装着羽根が当接する前記穿刺器具の部位よりも柔らかい材料で形成されている、
請求項１０に記載の穿刺針カートリッジ。
【請求項１２】
前記装着羽根は、その先端側に、この装着羽根が前記ランセットケースの穿刺側とは反対側へ回動させられた時に、前記ランセットケースの表面と当接する突出部を有している、
請求項１０または１１に記載の穿刺針カートリッジ。
【請求項１３】
前記ランセットケースは、その表面に、前記装着羽根が前記ランセットケースの穿刺側とは反対側へ回動させられた時に、前記装着羽根の先端部と当接して外周側へ持ち上げる突出部を有している、
請求項１０または１１に記載の穿刺針カートリッジ。
【請求項１４】
前記装着羽根が前記ランセットケースの穿刺側とは反対側へ回動させられた状態で、前記装着羽根の破損位置よりも外方の位置において、前記装着羽根の先端と前記穿刺器具とが当接する、
請求項１１または１２に記載の穿刺針カートリッジ。
【請求項１５】
前記装着羽根は、この装着羽根が前記ランセットケースの穿刺側とは反対側へ回動させられた状態で、その先端の外周側に設けられ外周側への回動を停止させる回動停止部を有している、
請求項１４に記載の穿刺針カートリッジ。
【請求項１６】
前記装着羽根は、先端側よりも中央部を薄肉としている、
請求項１５に記載の穿刺針カートリッジ。
【請求項１７】
請求項１から１６のいずれか１つに記載の穿刺針カートリッジが装着される穿刺器具であって、
穿刺側の先端に設けられた前端開口部を有する筒状の本体ケースと、
前記本体ケース内に設けられた射出ロッドと、
前記射出ロッドを穿刺側に付勢する第１付勢体と、
前記本体ケースにおける穿刺側とは反対側に設けられた操作ボタンと、
前記本体ケースの前記前端開口部側から前記穿刺針カートリッジが挿入される筒状のブッシュと、
を備え、
前記ブッシュは、前記穿刺針カートリッジが挿入される内周面側に、前記穿刺針カートリッジの前記装着羽根を係合させる係合孔と、前記装着羽根を破損させる破損部と、を有している、
穿刺器具。
【請求項１８】
前記破損部は、前記穿刺針カートリッジの前記装着羽根の先端を、前記ランセットケースとの連結部分を中心にして回動させる、
請求項１７に記載の穿刺器具。
【請求項１９】
前記破損部は、前記係合孔の前方側の側壁によって構成される、
請求項１８に記載の穿刺器具。
【請求項２０】
前記ブッシュは、前記所定の位置よりも穿刺側の位置において前記穿刺針カートリッジと当接して、前記穿刺針カートリッジの再装着を防止する再装着防止部を有している、
請求項１７から１９のいずれか１つに記載の穿刺器具。
【請求項２１】
前記再装着防止部は、前記穿刺針カートリッジの破損した前記装着羽根と係合する再装着防止片と、前記再装着防止片を前記穿刺方向に交差する方向へ付勢する第２付勢体と、を含む、
請求項２０に記載の穿刺器具。
【請求項２２】
前記ブッシュは、第１の動作孔を有しており、
前記再装着防止部の前記再装着防止片は、前記第１の動作孔内において、筒状の前記ブッシュの軸に交差する方向に可動自在な状態で設けられている、
請求項２１に記載の穿刺器具。
【請求項２３】
前記ブッシュの前記第１の動作孔は、前記穿刺針カートリッジの前記装着羽根を収納する前記係合孔の穿刺側の位置に設けられている、
請求項２２に記載の穿刺器具。
【請求項２４】
前記再装着防止部は、前記ブッシュの内周面に設けられている、
請求項２０に記載の穿刺器具。
【請求項２５】
前記装着羽根は、前記ランセット本体が前記穿刺器具から排出される時に、前記ランセットケースとの連結部分を中心にして前記ランセットケースの穿刺側とは反対側へと回動させられ、この回動により破損されるとともに、
前記ランセットケースは、前記回動により破損した前記装着羽根を収納する凹状の収納部を有し、
前記ブッシュは、前記穿刺針カートリッジの破損した前記装着羽根を前記ランセットケースの前記収納部に収納させる押込部を有している、
請求項２４に記載の穿刺器具。
【請求項２６】
前記押込部は、押込片と、前記押込片を前記穿刺方向に交差する方向に付勢する弾性体とを有し、
前記ブッシュは、筒状の壁面を貫通するように形成された第２の動作孔を有し、
前記押込片は、前記第２の動作孔内において、前記弾性体による付勢力を受けて前記ブッシュの軸に交差する方向に可動自在な状態で設けられている、
請求項２５に記載の穿刺器具。
【発明の詳細な説明】
【技術分野】
【０００１】
本発明は、例えば、血糖値を測定するために人体に針を穿刺し血液を流出させるための穿刺針カートリッジおよびこれが装着される穿刺器具に関するものである。
【背景技術】
【０００２】
従来のこの種、穿刺針カートリッジは、後端側に穿刺器具への接続部、前端側に穿刺針カバー部、中間部に破断部を有するランセット本体と、前記ランセット本体の破断部の前後に渡ってこのランセット本体に埋め込まれた穿刺針と、前記ランセット本体の中間部外周に装着されたランセットケースと、このランセットケースの外周に形成された前記穿刺器具への装着羽根と、を備えた構成となっている（例えば、下記特許文献１）。
そして、穿刺針カートリッジは、穿刺器具に装着され、次に、穿刺針カバー部を取り外し、その後、穿刺場所に向けて穿刺動作が行われた後、穿刺器具から穿刺針カートリッジが排出されるようになっている。
【先行技術文献】
【特許文献】
【０００３】
【特許文献１】国際公開第２００７／１４５２０５号公報
【発明の概要】
【発明が解決しようとする課題】
【０００４】
上記従来例における課題は、血液の感染リスクを防止できないということであった。
すなわち、例えば、穿刺針カートリッジおよび穿刺器具が病院で使用される場合、一度他の患者に使用した穿刺針カートリッジを、誤って穿刺器具に再装着して使用すると、他の患者の血液による感染リスクが発生してしまう。
そこで、本発明においては、血液の感染リスクを防止することを目的とする。
【課題を解決するための手段】
【０００５】
この目的を達成するために、本発明は、ランセット本体と、穿刺針と、筒状のランセットケースと、装着羽根と、を備えている。ランセット本体は、穿刺側とは反対側の端部に穿刺器具への接続部、穿刺側の端部に穿刺針カバー部、その中間部に破断部を有する。穿刺針は、破断部における穿刺方向に沿ってランセット本体に埋め込まれており、穿刺針カバーが取り外された状態で穿刺側へ突出して穿刺を行う。筒状のランセットケースは、ランセット本体の中間部の外周に装着されている。装着羽根は、ランセットケースの外周面の一部に連結された状態で設けられている。そして、装着羽根は、ランセット本体が穿刺器具に装着される時に穿刺器具における所定の位置へ係合され、ランセット本体が穿刺器具から排出される時に破損される。
【発明の効果】
【０００６】
以上のように本発明の構成によれば、血液の感染リスクを防止することができる。
すなわち本発明の穿刺針カートリッジは、ランセットケースの外周に形成された穿刺器具への装着羽根を備え、ランセット本体が穿刺器具からの排出される時には、この穿刺器具により装着羽根が破損される。
これにより、一度でも使用された穿刺針カートリッジは、その装着羽根が破損された状態となる。よって、一度使用された穿刺針カートリッジを、穿刺器具に誤って再装着しようとしても、穿刺針カートリッジは、穿刺器具への装着羽根が破損しているので、穿刺器具に適切に再装着されることはない。
その結果、一度使用された穿刺針カートリッジが再使用されることはなくなり、血液の感染リスクを防止することができる。
【図面の簡単な説明】
【０００７】
【図１】本発明の実施の形態１に係る穿刺針カートリッジの使用状態を示す斜視図。
【図２】図１の穿刺針カートリッジの分解斜視図。
【図３】図１の穿刺針カートリッジの斜視図。
【図４】図１の穿刺針カートリッジの要部の拡大斜視図。
【図５】図１の穿刺針カートリッジの要部の拡大断面図。
【図６】図１の穿刺針カートリッジを装着する穿刺器具の分解斜視図。
【図７】図１の穿刺針カートリッジと穿刺器具の断面図。
【図８】図１の穿刺針カートリッジと穿刺器具の断面図。
【図９】図１の穿刺針カートリッジと穿刺器具の断面図。
【図１０】図１の穿刺針カートリッジと穿刺器具の断面図。
【図１１】図１の穿刺針カートリッジと穿刺器具の断面図。
【図１２】図１の穿刺針カートリッジと穿刺器具の断面図。
【図１３】図１の穿刺針カートリッジと穿刺器具の断面図。
【図１４】図１の穿刺針カートリッジと穿刺器具の断面図。
【図１５】図１の穿刺針カートリッジと穿刺器具の要部の拡大断面図。
【図１６】図１の穿刺針カートリッジと穿刺器具の要部の拡大断面図。
【図１７】図１の穿刺針カートリッジと穿刺器具の要部の拡大断面図。
【図１８】図１の穿刺針カートリッジと穿刺器具の要部の拡大断面図。
【図１９】図１の穿刺針カートリッジと穿刺器具の要部の拡大断面図。
【図２０】図１の穿刺針カートリッジと穿刺器具の要部の拡大断面図。
【図２１】図１の穿刺針カートリッジと穿刺器具の要部の拡大断面図。
【図２２】図１の穿刺針カートリッジと穿刺器具の要部の拡大断面図。
【図２３】図１の穿刺針カートリッジと穿刺器具の要部の拡大断面図。
【図２４】図１の穿刺針カートリッジと穿刺器具の要部の拡大断面図。
【図２５】図１の穿刺針カートリッジと穿刺器具の要部の拡大断面図。
【図２６】本発明の実施の形態２に係る穿刺針カートリッジと穿刺器具の要部の拡大断面図。
【図２７】図２６の穿刺針カートリッジと穿刺器具の要部の拡大断面図。
【図２８】図２６の穿刺針カートリッジと穿刺器具の要部の拡大断面図。
【図２９】（ａ）は、図２６の穿刺針カートリッジの要部の拡大斜視図。（ｂ）は、図２６の穿刺針カートリッジの要部の拡大断面図。
【図３０】本発明の実施の形態３に係る穿刺針カートリッジと穿刺器具の要部の拡大断面図。
【図３１】図３０の穿刺針カートリッジの要部の拡大斜視図。
【図３２】図３０の穿刺針カートリッジと穿刺器具の要部の拡大断面図。
【図３３】図３０の穿刺針カートリッジと穿刺器具の要部の拡大断面図。
【図３４】図３０の穿刺針カートリッジと穿刺器具の要部の拡大断面図。
【図３５】図３０の穿刺針カートリッジと穿刺器具の要部の拡大断面図。
【図３６】図３０の穿刺針カートリッジと穿刺器具の要部の拡大断面図。
【発明を実施するための形態】
【０００８】
以下、本発明の一実施形態を説明する。
（実施の形態１）
図１は、本実施形態の穿刺器具１を示している。穿刺器具１は、例えば、血糖値を測定するために、人体に穿刺針を穿刺し血液を流出させるものである。この穿刺器具１は、長筒状の本体ケース２の前端開口部３に、図２、図３に示す穿刺針カートリッジ４が装着された状態で穿刺を行う。
なお、以下の説明において、穿刺側とは、穿刺針を突出させて穿刺を行う側を意味しており、穿刺側とは反対側とは、穿刺針を突出させる側とは反対側に設けられた操作ボタン２４側を意味するものとする。
図２は、穿刺針カートリッジ４の分解斜視図である。穿刺針カートリッジ４は、樹脂製で円柱状のランセット本体５と、樹脂製で円筒形状のランセットケース６とを有している。
【０００９】
ランセット本体５は、その後端側（穿刺側とは反対側）に穿刺器具１への接続部７、前端側（穿刺側）に穿刺針カバー部８、中間部に破断部９を有している。この破断部９には、その前後に渡って、穿刺針１０（図１０から図１４参照）が埋め込まれている。つまり、穿刺針１０は、破断部９における穿刺方向に沿ってランセット本体５に埋め込まれている。
穿刺針カバー部８には、リング形状の取手１１が設けられている。
また、穿刺針カバー部８には、２個の螺旋状のガイド突起１２が設けられている。ランセット本体５には、破断部９よりも穿刺側とは反対側の位置に２個の摺動突起１３が設けられている。
このランセット本体５の中間部外周に、図３のごとく、ランセットケース６が装着されると、摺動突起１３は、ランセットケース６の摺動溝１４に係合されて摺動溝１４内を穿刺方向において前後に摺動する。また、穿刺針カバー部８のガイド突起１２は、ランセットケース６内面に設けられた２個の螺旋状の案内部１５（図２の破線部分）の穿刺側に当接する。
【００１０】
この構成により、使用者が、取手１１を持って、穿刺針カバー部８をランセットケース６側に押し込む（近づける）と、ガイド突起１２上を螺旋状の案内部１５が摺動する。これにより、ランセットケース６は、ランセット本体５の周りを、例えば、右回りに旋回する。
旋回するランセットケース６は、図２に示すように、摺動溝１４、摺動突起１３を介して、ランセット本体５の破断部９よりも穿刺側とは反対側を、右回りに回転させる。一方、破断部９よりも穿刺側は、案内部１５からの反力によって、左回りの回転力を受ける。
その結果、破断部９の前後の接続部に逆方向の回転力を発生させ、破断部９を破断させることができる。
なお、ランセットケース６の外周の凹部１６内には、穿刺器具１への装着に使用される装着羽根１７が設けられている。図４は、この装着羽根１７の拡大図であり、図５は、その断面（図３のＡ断面）図である。
【００１１】
この装着羽根１７は、本実施形態における特徴的なものであり、穿刺針カートリッジ４が穿刺器具１から排出される時に、図４（ａ）の状態から図４（ｂ）の状態へと回動して破損する（変形する）構成となっている。これにより、一度使用された穿刺針カートリッジ４が穿刺器具１に適切に再装着されることを防止している。
この構成および動作については、後で詳細に説明する。
図６は、穿刺針カートリッジ４が装着される穿刺器具１の分解斜視図である。
穿刺器具１は、前端開口部３、把持部１８、後端開口部１９を有する筒状の本体ケース２を備えている。本体ケース２内には、メインロッド２０が設けられている。メインロッド２０には、ランセットホルダ２１を有する射出ロッド２２が、穿刺方向において前後に摺動自在に装着されている。
【００１２】
本体ケース２には、射出ロッド２２を本体ケース２の穿刺側に付勢するためのメインスプリング（第１付勢体の一例）２３が設けられている。そして、本体ケース２の後端側には、穿刺動作、排出動作の操作を行うための操作ボタン２４が設けられている、さらに、本体ケース２の前端開口部３には、穿刺針カートリッジ４を挿入させる筒状のブッシュ２５が設けられている。
この穿刺器具１へ、穿刺針カートリッジ４を装着する時には、図７のごとく、使用者は穿刺針カートリッジ４の取手１１を持ち、ランセット本体５後端の接続部７側から穿刺器具１の前端開口部３に押し込む。すると、図８のごとく、接続部７がランセットホルダ２１の前端に当接し、その後、図９のごとく、接続部７でランセット本体５はランセットホルダ２１に装着される。
【００１３】
この図９の状態では、ランセット本体５が穿刺器具１内へと押し込まれたことにより、ランセットホルダ２１、射出ロッド２２が穿刺方向とは反対側へと押し込まれる。このため、射出ロッド２２の穿刺カム２２ａを介して、メインスプリング２３は、穿刺方向とは反対側へと引かれて穿刺力（つまり穿刺のための射出力）が畜力される。この畜力は、図１０に示すように、本体ケース２の後方（穿刺方向とは反対側の位置）において、射出ロッド２２後端のロック爪２２ｂと、メインロッド２０に回転自在に設けられたロック体２６の係合爪２６ａが係合することで保持される。
穿刺針カートリッジ４では、図８から図９のごとく、穿刺針カバー部８がランセットケース６側に押し込まれるので、上述のごとく、ランセット本体５の破断部９が破断する。その後、図１０のごとく、取手１１が引かれると、穿刺針カバー部８が穿刺針１０から外され、装着動作が完了する。
【００１４】
次に穿刺動作が行われる。
穿刺器具１の操作ボタン２４が押されると、図１１のごとく、操作ボタン２４前端の操作体２４ａが、上傾斜面部で押出爪２６ｂを押し上げてロック体２６を回転させる。すると、この図１１に示すように、図１０に示したロック爪２２ｂと係合爪２６ａの係合が解除され、メインスプリング２３の穿刺力により、射出ロッド２２は穿刺側（前方側）へと発射される。その結果、ランセット本体５の穿刺針１０が穿刺針カートリッジ４の先端（前端）から射出され、穿刺が行われる。
その後、図１２のごとく、メインスプリング２３により射出ロッド２２が定位置へと引かれることで、穿刺針１０がランセットケース６内へと引き戻される。
【００１５】
続いて、穿刺動作が終了すると、穿刺針カートリッジ４の排出動作が行われる。
具体的には、図１２の状態から操作ボタン２４が押されると、図１３のごとく、操作体２４ａ、押出爪２６ｂ、ロック体２６を介して、メインロッド２０は穿刺側へと摺動する。
メインロッド２０では、射出ロッド２２がケースストッパ当て２２ｃをストッパ２７に当接させて停止するが、メインロッド２０自体は穿刺側への摺動を続ける。そして、前端側のホルダ挿入筒２０ａが、穿刺針カートリッジ４のランセットケース６の後端を押すと、穿刺針カートリッジ４では、ランセットケース６の摺動溝１４、摺動突起１３を介してランセット本体５が穿刺側に引かれる。そして、図１４のごとく、ランセット本体５は、その接続部７がランセットホルダ２１の先端側（前端側）から引き抜かれ、ランセットケース６と共に、穿刺器具１の前端開口部３から排出される。
その結果、穿刺針カートリッジ４は本体ケース２外へと押し出され、排出動作が完了する。
【００１６】
以上の説明により、本実施形態の基本的な構成および動作が理解された所で、以下、本実施形態における主な特徴点について説明する。
本実施形態の主な特徴は、図２、図３に示すように、ランセットケース外周に、図４に示す穿刺器具１への装着羽根１７を設け、ランセット本体５の穿刺器具１からの排出時に、図５のごとく、装着羽根１７を破損させる構成としたことである。
具体的には、装着羽根１７は、図４（ａ）に示すように、外周側（筒状のランセットケース６の外方側）に向けて突出させた細長い平板形状を有している。そして、装着羽根１７の根元部分を装着台２８に接続し、その先端を遊端としている。つまり、装着羽根１７は、ランセットケース６の外周面の一部に、その根元部分で連結された状態で設けられている。装着羽根１７の先端側は、ランセットケース６の穿刺側の先端に向けて傾斜させると共に、筒状のランセットケース６の軸に交差する方向に回動自在に形成されている。
【００１７】
そして、図３に示すように、ランセットケース６の外周には、ランセットケース６の穿刺方向における穿刺側からその反対側にかけて凹部１６を１８０度対向して設けている。この凹部１６の底面におけるランセットケース６の穿刺側とは反対側の端部には、２個（複数個）の装着羽根１７が１８０度対向する位置に設けられている。
なお、ランセットケース６、装着羽根１７、装着台２８は、弾性樹脂で一体成形されている。
装着台２８は、図４（ａ）、図５のごとく、断面が三角形となる三角柱形状で、凹部１６の底部に形成されている。この三角柱の装着台２８の一面は、ランセットケース６に接続されており、他の一面を穿刺側（ランセットケース６の穿刺側、図４、図５の下側）で傾斜面２８ａとしている。そして、残りの一面を、穿刺側とは反対側（図４、図５の上側）でランセットケース６に対して垂直となった垂直面２８ｂとしている。また、装着台２８の両端は、凹部１６の側面部にそれぞれ接続されて固定されている。
【００１８】
装着台２８は、その傾斜面２８ａで装着羽根１７の根元部分と接続され、装着羽根１７の先端側を回動自在にしている。このように、傾斜面２８ａと装着羽根１７とを接続することで、図４（ｂ）のごとく、装着羽根１７の根元部分に形成された弱部（破損開始部２９であって、ランセットケース６との連結部分）を形成している。そして、この破損開始部２９を、装着羽根１７を回動させることにより破損させる（変形させる）。
このため、穿刺針カートリッジ４が穿刺器具１から排出される時には、図４（ｂ）のごとく、穿刺器具１内で、装着羽根１７は、ランセットケース６との連結部分を中心にして、ランセットケース６の穿刺側とは反対側へと回動させられて破損開始部２９が破損される。これにより、装着羽根１７は破損させられる。
したがって、一度使用した穿刺針カートリッジ４を、穿刺器具１に誤って再装着しようとしても、穿刺針カートリッジ４は、装着羽根１７が破損しているので、穿刺器具１に適切に再装着されることを防止することができる。
【００１９】
この動作を行わせるために、本実施形態の穿刺器具１には、図６のごとく、樹脂製で筒状のブッシュ２５が設けられている。このブッシュ２５には、図１５に示すように、穿刺針カートリッジ４の装着羽根１７を係合させる係合孔３０が設けられている。
なお、図１５は、穿刺針カートリッジ４を装着する時（つまり、ランセット本体５を穿刺器具１に装着する時）の図で、装着羽根１７を係合孔３０に係合させることで、ランセットケース６を穿刺器具１のブッシュ２５内周面に装着させている（図８と図９の間の状態）。
この後、穿刺が終了すると、上述のごとく、ホルダ挿入筒２０ａが、ランセットケース６の後端を押すことにより、ランセットケース６と共にランセット本体５が穿刺器具１から排出される。
【００２０】
本実施形態においては、ブッシュ２５には、装着羽根１７を回動により破損させる破損部が、係合孔３０の穿刺側（前方側）の内側の側壁（破損部の一例）３０ａによって形成されている。そして、この側壁３０ａにより、穿刺針カートリッジ４の装着羽根１７の先端を、外周側、穿刺側とは反対側（後方側）へと回動させる構成としている。
このため、ランセットケース６が穿刺側（図１５の左側）に向けて排出されると、ランセットケース６外周の装着羽根１７の先端は、係合孔３０の穿刺側の側壁３０ａに当たって、図１６のごとく、ランセットケース６の外周側へと回動する。そして、この回動により、装着羽根１７の根本付近の破損開始部２９が破損される。
その後、装着羽根１７の先端は、図１７のごとく、係合孔３０の側壁３０ａの内側端部によって、ランセットケース６の穿刺側とは反対側へと回動させられる。そして、最終的には、図１８、図４（ｂ）のごとく、ランセットケース６外周に沿って折りたたまれ、装着羽根１７は破損した状態となる。
【００２１】
本実施形態のランセットケース６には、図４（ｂ）に示すように、凹部１６の穿刺側とは反対側（後方側）の端部によって、回動された装着羽根１７を収納させる凹状の収納部１６ａを形成している。このため、破損させた装着羽根１７は、収納部１６ａに凹状の部分に収納させることができるので、排出動作時にブッシュ２５の内面に引っかかることがない。
なお、上述のごとく、ランセットケース６、装着羽根１７、装着台２８は、弾性樹脂で一体成形されている。よって、破損させた装着羽根１７は、完全には破断されず、凹部１６内で、装着台２８に薄皮で繋がれた状態となっている。
そして、図１９のごとく、破損させた装着羽根１７はブッシュ２５外へと排出され、穿刺針カートリッジ４の排出動作が完了する。
【００２２】
すなわち、本実施形態の穿刺針カートリッジ４では、使用後に装着羽根１７が破損させた状態で取り出される。
その後、使用された穿刺針カートリッジ４は、廃棄されるまで保管される。
ここで、一般的に、この保管時に、取手１１を穿刺針カートリッジ４に再び装着して保管されることも多く、この状態では、未使用の穿刺針カートリッジ４と、使用された穿刺針カートリッジ４とは、一見して見分けづらい。このため、一度使用した穿刺針カートリッジ４を、誤って穿刺器具１に再装着し使用してしまうおそれがある。
この様な場合も、本実施形態の穿刺針カートリッジ４では、使用後に穿刺器具１への装着羽根１７を破損させるので、穿刺器具１に適切に再装着されることを防止することができる。
【００２３】
そして、本実施形態においては、この再装着を確実に防止するために、図６に示すように、穿刺器具１のブッシュ２５の外周における１８０度対向した位置に、穿刺針カートリッジ４の再装着を防止する再装着防止部３１が、２個（複数個）を設けられている。
再装着防止部３１は、金属製の薄い長板状のバネ（第２付勢体の一例）３２と樹脂製の再装着防止片３３とを有している。
バネ（第２付勢体の一例）３２は、その穿刺側とは反対側の端部がブッシュ２５にネジ止めされるとともに、穿刺側の端部が遊端とされている。そして、この遊端に、穿刺針カートリッジ４の破損した装着羽根１７と係合させる樹脂製の再装着防止片３３が設けられている。再装着防止片３３は、バネ３２によりブッシュ２５の軸に交差する方向に付勢される。
【００２４】
ブッシュ２５には、図１５〜図２５に示すように、動作孔３４（第１の動作孔の一種）が設けられている。動作孔３４内では、再装着防止部３１の再装着防止片３３が、ブッシュ２５の軸に交差する方向に可動自在な状態で設けられている。
再装着防止片３３には、図２４に示すように、破損させて回動した装着羽根１７の先端と係合させるために、ブッシュ２５の内壁よりも内周側に突出させた係合突起３５が設けられている。この係合突起３５は、ランセットケース６の凹部１６内に進入している。
なお、再装着防止片３３を動作しやすくするために、動作孔３４は、再装着防止片３３よりもわずかに大きく形成されている。
この構成で、以下に再装着防止について説明する。
先ず、図２０〜図２３を用いて、未使用の穿刺針カートリッジ４が穿刺器具１に装着される場合を説明し、次に、一度使用された穿刺針カートリッジ４が穿刺器具１に装着される場合を説明する。
【００２５】
図２０のごとく、未使用の穿刺針カートリッジ４が穿刺器具１へ装着される場合には、２個の装着羽根１７は開かれてランセットケース６の凹部１６から外周側に突出する。そして、その装着羽根１７間の大きさは、ブッシュ２５の開口直径より大きくなっている。
そして、図２１のごとく、ランセットケース６がブッシュ２５に挿入されると、２個の装着羽根１７はブッシュ２５の内周壁によって折りたたまれて（回動されて）、ランセットケース６の凹部１６の穿刺側に収納される。
本実施形態においては、さらにランセットケース６が挿入されると、図２２のごとく、２個の装着羽根１７は、動作孔３４に到達し、この動作孔３４内で、その弾性により再装着防止片３３をブッシュ２５の外周側へと押し出して開いた状態となる。
このため、再装着防止片３３の係合突起３５が装着羽根１７と係合することはない。
【００２６】
その後、図２３のごとく、２個の装着羽根１７は、動作孔３４の後側内壁によって再び折りたたまれる。なお、この時まで、装着羽根１７は、再装着防止片３３をブッシュ２５外周側へと押し出した状態となっている。
その後、図１５に示すように、装着羽根１７は、係合孔３０に到達すると、この係合孔３０内で再び外周側へと開かれる。このように、装着羽根１７が係合孔３０に係合（収納）することで、ランセットケース６はブッシュ２５に装着される。
つまり、装着羽根１７は、まだ破損されていないので、その弾性により再装着防止片３３を外周側へと押し出しながら係合孔３０に係合される。
そして、穿刺後に穿刺針カートリッジ４の排出動作を行うと、上述のごとく、装着羽根１７が破損させることができる。
【００２７】
次に、図２４を用いて、一度使用された穿刺針カートリッジ４が穿刺器具１に再装着される場合を説明する。
使用者は、取手１１を持って穿刺針カバー部８をランセット本体５の穿刺針１０に被せる。そして、取手１１を用いて、穿刺針カバー部８を介してランセット本体５の後端側をブッシュ２５の奥へ押し込んでいくと、穿刺針カバー部８の穿刺針１０側がランセットケース６の内部に設けられた受部（図示せず）に当接する。このため、穿刺針カバー部８は、ランセット本体５の後端側とランセットケース６とを一体的にブッシュ２５の奥へ押し込む。
この時には、装着羽根１７は、すでに破損しており、その先端がランセットケース６の後端側（ランセット本体５の接続部７側）に向けた状態で、収納部１６ａに収納されている。
【００２８】
本実施形態においては、上述のごとく、再装着防止片３３に設けられた係合突起３５を、ランセットケース６の凹部１６内（収納部１６ａ内）に進入させている。
そして、ランセットケース６の穿刺側とは反対側へ回動させられた装着羽根１７の先端部は、所定の位置（装着羽根１７が穿刺器具１の係合孔３０と係合する位置）よりも前側（穿刺側）の位置において、穿刺器具１に当接する構成としている。
具体的には、収納部１６ａ内の装着羽根１７は、その先端部が再装着防止片３３の係合突起３５に当接するので、これ以上、ランセットケース６が穿刺器具１内へと押し込まれることはなく、装着羽根１７が係合孔３０に到達することはない。
したがって、ランセットケース６は、ブッシュ２５における装着位置へ装着されることはない。
【００２９】
なお、本実施形態の動作孔３４は、装着羽根１７を係合させる係合孔３０の穿刺側に設けられている。このため、装着羽根１７が係合孔３０に到達する前に、装着羽根１７を係合突起３５に当接させることができる。よって、この点からも、装着羽根１７が係合孔３０に到達することを防止することができる。
なお、装着羽根１７が係合突起３５に当接すると、ランセットケース６が停止し、使用者は穿刺針カバー部８を押し込めなくなる。これにより、ランセット本体５も停止し、これ以上、ランセット本体５は穿刺器具１内へ押し込まれない。このため、ランセット本体５の押し込み量が不足し、メインスプリング２３に穿刺するためのバネ力が畜力されることはない。また、射出ロッド２２の後端のロック爪２２ｂが、ロック体２６の係合爪２６ａとロックされることもないため、穿刺の準備が整うことも回避することができる。
【００３０】
したがって、一度使用した穿刺針カートリッジ４を、穿刺器具に誤って再装着しようとしても、装着羽根１７がすでに破損しているので、ランセットケース６をブッシュ２５に装着することはできず、穿刺の準備も整わない。すなわち、使用済みの穿刺針カートリッジ４が、穿刺器具１に適切に再装着されることはない。
その結果として、一度使用した穿刺針カートリッジ４が再使用されることはなくなり、血液の感染リスクを防止することができる。
なお、本実施形態においては、装着羽根１７が再装着防止片３３の係合突起３５に係合した時に、バネ３２が撓むことで、係合突起３５を動作孔３４の穿刺側とは反対側の側壁（受部の一例）３４ａに当接させる構成としている。このため、ランセットケース６の押し込み力を、動作孔３４の側壁３４ａを介してブッシュ２５で受け止めることが出来るので、装着羽根１７と再装着防止片３３の係合突起３５の係合がはずれてしまうことはない。
【００３１】
ここで、穿刺針カートリッジ４の排出動作時に破損させた装着羽根１７は、装着台２８に薄皮で繋がれた状態となっているので、保管状態によっては、例えば、机などに当接させた衝撃により、破損させた装着羽根１７が装着台２８から剥がれてしまう場合が考えられる。
そこで、本実施形態においては、図４（ａ）に示すように、ランセットケース６の外周には、装着羽根１７の根元が接続される装着台２８が設けられている。そして、この装着台２８の後側を、ランセットケース６に対して垂直となった垂直面（再装着防止壁の一例）２８ｂとし、この垂直面２８ｂを、図２５のごとく、ランセット本体５が穿刺器具１に再装着される時に、所定の位置（装着羽根１７が穿刺器具１の係合孔３０と係合する位置）よりも前側（穿刺側）の位置において、再装着防止片３３の係合突起３５に当接させる。
【００３２】
このため、装着羽根１７が装着台２８から剥がれた状態で、ランセット本体５の接続部７が穿刺器具１に再装着されると、垂直面２８ｂが再装着防止片３３の係合突起３５に当接するので、これ以上、ランセット本体５を押し込むことができなくなる。その結果、装着羽根１７が装着台２８から剥がれているか否かに関わらず、使用済みの穿刺針カートリッジ４が穿刺器具１に適切に再装着されることはない。
なお、本実施形態においては、図４に示すように、ランセットケース６の凹状の収納部１６ａの両側面から互いに対向する向きに突出させた一対の保持部３６が設けられている。そして、保持部３６は、回動された装着羽根１７の両側面を保持する。この構成によれば、図４（ｂ）のごとく、装着羽根１７が保持部３６内において保持されるので、装着羽根１７が装着台２８から剥がれてしまうのを抑制することができる。
【００３３】
以上のように、本実施形態においては、後端側に穿刺器具１への接続部７、前端側に穿刺針カバー部８、中間部に破断部９を有するランセット本体５と、ランセット本体５の破断部９の前後に渡ってこのランセット本体５に埋め込まれた穿刺針１０と、ランセット本体５の中間部外周に装着されたランセットケース６と、ランセットケース６の外周に形成された穿刺器具１への装着羽根１７と、を備えている。そして、装着羽根１７は、ランセット本体５が穿刺器具１に装着される時に、穿刺器具１に係合され、ランセット本体５が穿刺器具１から排出される時に、装着羽根１７を破損させる。
これにより、血液の感染リスクを防止することができる。
すなわち、本実施形態の穿刺針カートリッジ４は、ランセットケース６の外周に形成された穿刺器具１への装着羽根１７を備えている。そして、ランセット本体５が穿刺器具１から排出される時には、装着羽根１７が破損されるように構成されている。
【００３４】
これにより、穿刺器具１に装着された穿刺針カートリッジ４は、穿刺器具１からの排出動作時に、装着羽根１７が破損される。
したがって、一度使用した穿刺針カートリッジ４を、穿刺器具１に誤って再装着しようとしても、穿刺針カートリッジ４は、すでに装着羽根１７が破損しているので、穿刺器具１に適切に再装着されることはない。
その結果、一度使用した穿刺針カートリッジ４が再度、穿刺器具１へ装着されて、再使用されることを防止して、血液の感染リスクを防止することができる。
（実施の形態２）
本実施の形態２は、再装着防止部の構成が異なる点において、実施の形態１とは異なっている。
【００３５】
具体的には、実施の形態１の再装着防止部３１は、図６に示すように、バネ３２と再装着防止片３３により構成されていたが、本実施の形態２においては、図２６に示すように、再装着防止突起（再装着防止部の一例）３７が、ブッシュ２５の内面において、係合孔３０の穿刺方向とは反対側をブッシュ２５の内側に突出させて設けられている。
このため、一度使用された穿刺針カートリッジ４が穿刺器具１に再装着される時には、上述のごとく、穿刺針カバー部８によってランセットケース６とランセット本体５とは、一体的にブッシュ２５に押し込まれる。この時、装着羽根１７は、先端をランセットケース６の穿刺側とは反対側（ランセット本体５の接続部７側）に向けて収納部１６ａ内に収納されている。よって、ブッシュ２５の内面から突出するように設けられた再装着防止突起（再装着防止部の一例）３７に、装着羽根１７の先端部が当接して停止する。
【００３６】
ここで、再装着防止突起３７は、装着羽根１７への当接位置（当接部）を、ランセット本体５を所定の穿刺準備位置よりも穿刺側（前方側）（図２６の左側）で停止させる位置に設けられている。
なお、所定の穿刺準備位置とは、ランセット本体５がその押し込みにより、本体ケース２の穿刺側とは反対側において、射出ロッド２２後端のロック爪２２ｂとロック体２６の係合爪２６ａとが係合する位置である。
このため、ランセットケース６とランセット本体５とは、図２６に示す距離Ｄ分だけ、穿刺準備位置の手前で停止する。すなわち、ランセット本体５の押し込み量が距離Ｄ分だけ不足するので、メインスプリング２３に十分な穿刺力が畜力されることはない。また、本体ケース２の穿刺側とは反対側において、射出ロッド２２後端のロック爪２２ｂと、ロック体２６の係合爪２６ａが係合することもない。つまり、穿刺が行える状態にはならない。
【００３７】
したがって、一度使用した穿刺針カートリッジ４を穿刺器具１に誤って再装着しようとしても、穿刺針カートリッジ４が穿刺器具１に適切に再装着されることを防止することができる。
その結果として、一度使用した穿刺針カートリッジ４が再使用されることはなくなり、血液の感染リスクを防止することができる。
さらに、本実施形態においては、収納部１６ａ内の装着羽根１７を再装着防止突起３７に確実に当接させるため、図２７に示すように、ブッシュ２５には、破損した装着羽根１７をランセットケース６の収納部１６ａに収納させる押込部３８が設けられている。なお、押込部３８は、実施の形態１の再装着防止部３１の代わりに設けられている。
具体的には、押込部３８は、金属製の薄い長板状のバネ（弾性体の一例）３９と、樹脂製の押込片４０とによって構成される。
【００３８】
バネ３９は、その穿刺側とは反対側の端部がブッシュ２５にネジ止めされ、穿刺側の端部が遊端となっている。そして、この遊端に、破損した装着羽根１７を収納部１６ａ内に押し込む樹脂製の押込片４０が設けられている。
押込片４０は、収納部１６ａに対向する面が穿刺方向における曲面となっており、バネ３９によってブッシュ２５の軸に交差する方向に付勢される。
ブッシュ２５には、その外周面から内周面に向かって貫通するように形成され、押込片４０を動作させる動作孔３４ｂ（第２の動作孔の一種）（実施の形態１における動作孔３４）が設けられている。押込片４０は、動作孔３４ｂ内で、ブッシュ２５の軸に交差する方向に可動自在な状態で設けられている。
したがって、図２７のごとく、ランセット本体５が穿刺器具１から排出される時には、破損した装着羽根１７を、押込片４０の曲面によって収納部１６ａ内に押し込むことができる。
【００３９】
なお、押込片４０は収納部１６ａに対向する面を曲面としたので、図２８のごとく、ランセット本体５が穿刺器具１に装着される時には、装着羽根１７は、押込片４０の曲面に接しながら移動する。このため、装着羽根１７が係合孔３０に係合する動作を押込片４０が妨げることはない。
さらに、本実施形態においては、図２９に示すように、凹状の収納部１６ａの底部には、収納される破損した装着羽根１７を受け止める（当接させる）ため、長方形状の当接部４１を外周側に突出させて設けている。
このため、図２７のごとく、押込片４０が装着羽根１７を凹状の収納部１６ａ内に押し込むと、装着羽根１７は当接部４１で受け止められて、適切な位置に位置決めされる。したがって、装着羽根１７を再装着防止突起３７に確実に当接させることができる。
【００４０】
その結果として、一度使用した穿刺針カートリッジ４が再使用されることはなくなり、血液の感染リスクを防止することができる。
（実施の形態３）
本実施の形態３は、上記実施の形態１および実施の形態２に示された穿刺針カートリッジ４の装着羽根１７の部分に対して、さらに工夫を加えたものである。具体的には、一度使用した穿刺針カートリッジ４を穿刺器具１に誤って再装着しようとした時に、図３０に示すように、穿刺針カートリッジ４の装着羽根１７を座屈変形させる構成を採用している点で、上記実施の形態１,２とは異なっている。
このため、一度使用した穿刺針カートリッジ４が、穿刺器具１に適切に再装着されることがなく、その結果として、使用済みの穿刺針カートリッジ４が再使用されることはなくなり、血液の感染リスクを防止することができる。
【００４１】
以下で、本実施形態の構成について、詳細に説明する。
本実施形態の装着羽根１７は、図４（ｂ）、図２６、図３０等に示すように、装着羽根１７がランセットケース６の後端側へ回動させられた状態（つまり、穿刺針カートリッジ４が一度使用された状態）で、ランセット本体５が穿刺器具１に再装着される時に、図３０に示すように、穿刺器具１の一部と当接して座屈変形させられる。
本実施形態では、装着羽根１７を座屈変形させるために、装着羽根１７は、この装着羽根１７を当接させる穿刺器具１の部位（つまり、再装着防止突起３７）よりも柔らかい材料で成形されている。
図３１は、装着羽根１７がランセットケース６の後端側へ回動させられる前の状態を示す図である。
【００４２】
座屈変形を確実に行わせるために、本実施形態の装着羽根１７の先端側には、この装着羽根１７がランセットケース６の後端側へ回動させられた時に、ランセットケース６の表面と当接させる突出部４２が設けられている。突出部４２は、装着羽根１７の表面から外周側へ突出するように設けられている。
図３２には、この装着羽根１７がランセットケース６の穿刺側とは反対側へ回動させられた状態を示している。
図３２に示すように、細長形状の装着羽根１７は、先端側の突出部４２がランセットケース６の当接部４１と当接することで、装着羽根１７の先端側がランセットケース６から持ち上げられる。このため、装着羽根１７は、破断部９を回動軸として、先端が外周側に開いた状態となっている。
【００４３】
さらに、装着羽根１７は、その先端と穿刺器具１の再装着防止突起３７の当接側平面部とが当接する位置Ａを、装着羽根１７の破断部９の破損位置よりも、距離Ｄ分だけランセットケース６の表面から外側（つまり、ランセットケース６の軸から離間した側）になるように形成されている。
このため、穿刺針カートリッジ４が穿刺器具１に押し込まれると、再装着防止突起３７によって、装着羽根１７の破断部９の破損位置よりも距離Ｄ分だけ外側の位置Ａに、ランセットケース６の軸に平行方向（穿刺方向）の力が加えられる。これにより、図３３に示すように、装着羽根１７の先端は、破断部９を回動中心として外周側に向かって広げられていく。
この時、装着羽根１７には、先端の外周側（装着羽根１７がランセットケース６の穿刺側とは反対側へ回動させられた状態における外周側）に、装着羽根１７の外周側への回動を停止させる回動停止部４３が設けられている。
【００４４】
回動停止部４３は、装着羽根１７の表面から突出するように設けられている。
一方、穿刺器具１のブッシュ２５の内周面側には、装着羽根１７の回動停止部４３に対向する位置に、装着羽根１７の回動停止部４３を受け止める平面状の回動停止受部４４が設けられている。
このため、装着羽根１７の先端が所定量だけ外周側へ開いた時に、回動停止部４３と回動停止受部４４とが当接し、装着羽根１７の外周側への回動を停止させることができる。
その後、穿刺針カートリッジ４が穿刺器具１に押し込まれると、図３４に示すように、装着羽根１７は、穿刺器具１の回動停止受部４４から内周側（回動停止受部４４からランセットケース６の外表面側）に向かって力が加えられ、根元（破断部９）側がランセットケース６の表面に押しつけられる。さらに、装着羽根１７は、その中央部が内周側へと撓み、中央部から根元にかけての部分がランセットケース６の表面に押しつけられる。
【００４５】
この時、細長形状の装着羽根１７は、突出部４２が設けられた先端側よりも、中央部を薄い肉厚としている。つまり、中央部に、折り曲げに対して強度が小さい弱部を形成している。
このため、装着羽根１７は、回動停止受部４４の内周側への力を受けて、曲げ強度が小さい中央部を内周側へと撓ませることができる。また、装着羽根１７を内周側に撓ませることにより、装着羽根１７をランセットケース６の外表面に押しつけることができる。よって、装着羽根１７がランセットケース６から剥がれ落ちることもない。
そして、穿刺針カートリッジ４が穿刺器具１内にさらに押し込まれると、図３５に示すように、装着羽根１７は、穿刺器具１の回動停止受部４４および再装着防止突起３７に当接した先端部が座屈変形を始める。そして、この座屈変形が装着羽根１７の先端から根元部分にまで及び、最後には、図３０に示すように、装着羽根１７の全体が座屈変形した状態となる。
【００４６】
この状態では、もはや穿刺針カートリッジ４を穿刺器具１に押し込むことができない。したがって、使用済みの穿刺針カートリッジ４が、穿刺器具１に適切に再装着されることを防止することができる。
その結果として、一度使用した穿刺針カートリッジが再使用されることはなくなり、血液の感染リスクを防止することができる。
なお、本実施形態においては、図３２のごとく、装着羽根１７の先端側に突出部４２を設けて、装着羽根１７の先端側を持ち上げていく構成について説明した。しかし、図３６に示すように、ランセットケース６の外表面に、回動された装着羽根１７の先端部を持ち上げる方向に当接させる突出部４５を設けてもよい。
この構成においても、突出部４５と装着羽根１７の先端部とを当接させることにより、装着羽根１７の先端側を、ランセットケース６の表面から持ち上げて外周側に開いた状態にすることができる。
【００４７】
この結果、一度使用した穿刺針カートリッジ４が再使用されることはなくなり、血液の感染リスクを防止することができる。
【産業上の利用可能性】
【００４８】
本発明は、例えば、血糖値を測定するために人体に針を穿刺し血液を流出させる穿刺器具として広く活用が期待されるものである。
【符号の説明】
【００４９】
１  穿刺器具
２  本体ケース
３  前端開口部
４  穿刺針カートリッジ
５  ランセット本体
６  ランセットケース
７  接続部
８  穿刺針カバー部
９  破断部
１０  穿刺針
１１  取手
１２  ガイド突起
１３  摺動突起
１４  摺動溝
１５  案内部
１６  凹部
１６ａ  収納部
１７  装着羽根
１８  把持部
１９  後端開口部
２０  メインロッド
２０ａ  ホルダ挿入筒
２１  ランセットホルダ
２２  射出ロッド
２２ａ  穿刺カム
２２ｂ  ロック爪
２２ｃ  ケースストッパ当て
２３  メインスプリング（第１付勢体）
２４  操作ボタン
２４ａ  操作体
２５  ブッシュ
２６  ロック体
２６ａ  係合爪
２６ｂ  押出爪
２７  ストッパ
２８  装着台
２８ａ  傾斜面
２８ｂ  垂直面（再装着防止壁）
２９  破損開始部
３０  係合孔
３０ａ  側壁
３１  再装着防止部
３２  バネ（第２付勢体）
３３  再装着防止片
３４  動作孔（第１の動作孔）
３４ａ  側壁（受部）
３４ｂ  動作孔（第２の動作孔）
３５  係合突起
３６  保持部
３７  再装着防止突起（再装着防止部）
３８  押込部
３９  バネ（弾性体）
４０  押込片
４１  当接部
４２  突出部
４３  回動停止部
４４  回動停止受部
４５  突出部
【図１】
0006549915.tif 000002
【図２】
0006549915.tif 000003
【図３】
0006549915.tif 000004
【図４】
0006549915.tif 000005
【図５】
0006549915.tif 000006
【図６】
0006549915.tif 000007
【図７】
0006549915.tif 000008
【図８】
0006549915.tif 000009
【図９】
0006549915.tif 000010
【図１０】
0006549915.tif 000011
【図１１】
0006549915.tif 000012
【図１２】
0006549915.tif 000013
【図１３】
0006549915.tif 000014
【図１４】
0006549915.tif 000015
【図１５】
0006549915.tif 000016
【図１６】
0006549915.tif 000017
【図１７】
0006549915.tif 000018
【図１８】
0006549915.tif 000019
【図１９】
0006549915.tif 000020
【図２０】
0006549915.tif 000021
【図２１】
0006549915.tif 000022
【図２２】
0006549915.tif 000023
【図２３】
0006549915.tif 000024
【図２４】
0006549915.tif 000025
【図２５】
0006549915.tif 000026
【図２６】
0006549915.tif 000027
【図２７】
0006549915.tif 000028
【図２８】
0006549915.tif 000029
【図２９】
0006549915.tif 000030
【図３０】
0006549915.tif 000031
【図３１】
0006549915.tif 000032
【図３２】
0006549915.tif 000033
【図３３】
0006549915.tif 000034
【図３４】
0006549915.tif 000035
【図３５】
0006549915.tif 000036
【図３６】
0006549915.tif 000037